(57)【特許請求の範囲】
【請求項１】
シリンダ状のポンプ本体と、該ポンプ本体内に往復移動自在に挿入されるピストンと、該ピストンから上方に延びるステムと、前記ポンプ本体の上端部を閉塞しかつ前記ステムが往復移動自在に挿通されるガイド穴を有するアッパキャップと、前記ステム上端に接続され、吐出ノズルが連通するエジェクタヘッドと、前記ポンプ本体を容器に装着し保持するコンテナキャップとからなるポンプにおいて、
前記アッパキャップの外側面に雄ねじが設けられるとともに、該雄ねじの下部に第一ラチェット歯が設けられ、かつ前記エジェクタヘッドの内周面に前記アッパキャップの雄ねじに係合可能な雌ねじが設けられるとともに、該雌ねじの下部に前記第一ラチェット歯に対向して噛合する第二ラチェット歯が設けられていることを特徴とするポンプ。
【請求項２】
前記アッパキャップの第一ラチェット歯の最大外径（Ｄ１）と、前記エジェクタヘッドの第二ラチェット歯の最小内径（Ｄ２）とが、Ｄ１≦Ｄ２の関係にあることを特徴とする請求項１に記載のポンプ。
【請求項３】
前記アッパキャップの第一ラチェット歯と前記エジェクタヘッドの第二ラチェット歯との噛合面が２箇所に設けられ、該噛合面は前記エジェクタヘッドの直径方向に対して対向する位置に設けられていることを特徴とする請求項１または２に記載のポンプ。
【発明の詳細な説明】
【０００１】
【発明の属する技術分野】
本発明は、容器の開口部に取り付けられ、容器内部の液体内容物を吐出または噴霧するポンプに関し、特に、吐出ノズルの向く方向を位置合わせしながら確実に容器に取り付けることが可能なポンプに関する。
【０００２】
【従来の技術】
従来のこの種のポンプとしては、例えば図６に示すようなものがある（実開平１−１０７４６２号公報参照）。すなわち、このポンプ２００は往復動型のポンプで、容器内部に挿入されるシリンダ状のポンプ本体２０１と、このポンプ本体２０１内に往復動自在に挿入されるピストン２０２と、このピストン２０２に連結されるステム２０３と、を備えている。このステム２０３は垂直に直線的に延びており、ポンプ本体２０１上端部のガイド部材２０４に設けられたガイド穴２０５に往復動自在に差し通されている。ステム２０３の上端部には、内容物を噴出させるためのノズル部２０６が設けられ、その下方には内面に雌ねじを有するスカート部２１０が設けられている。
【０００３】
スカート部２１０は、ノズル部２０６の上方よりシャワー等により水が降りかかった場合、水がスカート部２１０の外周に当たってガイド部材２０４のガイド穴２０５とステム２０３間の隙間に直接水が降りかかることを防止していた。
【０００４】
そして、このポンプ２００を容器に装着する場合は、ガイド部材２０４の外側面に設けた雄ねじと、スカート部２１０の内側面に設けた雌ねじとを螺号した後に、グリッパ等の把待機構でスカート部２１０の外側面を保持し、ノズル２０６の向く位置を合わせながら、容器の首部から挿入してポンプ本体２０１状部のフランジが容器の頂面に載置する。その後、本体キャップ２１１のみを回転させ、容器首部の外面に設けられた雄ねじと本体キャップ２１１の内面に設けられた雌ねじとを螺合させ、装着が完了する。
【０００５】
【発明が解決しようとする課題】
しかしながら上記した従来例では、ポンプ２００を容器に装着する場合、本体キャップ２１１を回転させるトルクが強くかかってしまうと、スカート部２１０が把待機構によって位置が固定されているため、この過剰トルクによって相対的にスカート部２１０とノズル２０６が本体キャップ２１１の回転する方向と逆の方向に動いてしまい、ガイド部材２０４とスカート部２１０の螺合が緩んだりはずれたりするという問題もあった。
【０００６】
本発明は上記した従来技術の課題を解決するためになされたものであって、その目的とするところは、ポンプ本体内への水の浸入を防止し得、しかもポンプ本体を装着する際に、ノズルが不用意に回動してロック状態が解除されることを防止し得るポンプを提供することにある。
【０００７】
【課題を解決するための手段】
上記目的を達成するために、本発明にあっては、シリンダ状のポンプ本体と、ポンプ本体内に往復移動自在に挿入されるピストンと、ピストンから上方に延びるステムと、ポンプ本体の上端部を閉塞しかつステムが往復移動自在に挿通されるガイド穴を有するアッパキャップと、ステム上端に接続されて吐出ノズルが連通するエジェクタヘッドと、ポンプ本体を容器に装着し保持するコンテナキャップとからなるポンプにおいて、アッパキャップの外側面に雄ねじが設けられるとともに、雄ねじの下部に第一ラチェット歯が設けられ、かつエジェクタヘッドの内周面にアッパキャップの雄ねじに係合可能な雌ねじが設けられるとともに、雌ねじの下部に前記第一ラチェット歯に対向して噛合する第二ラチェット歯が設けられていることを特徴とする。
【０００８】
また、アッパキャップの第一ラチェット歯先端の最大外径（Ｄ１）と、エジェクタヘッドの第二ラチェット歯先端の最小内径（Ｄ２）とが、Ｄ１≦Ｄ２の関係にあることを特徴とする。
【０００９】
そして、アッパキャップの第一ラチェット歯とエジェクタヘッドの第二ラチェット歯との噛合面が２箇所に設けられ、噛合面はエジェクタヘッドの直径方向に対して対向する位置に設けられていることを特徴とする。
【００１０】
【発明の実施の形態】
本発明のポンプでは、ガイド穴を有しステムが往復移動自在に挿通されるアッパキャップと、ステムに連通され吐出ノズルを有するエジェクタヘッドとに、互いに噛合する第一、第二のラチェット歯を設け、ポンプ本体の容器装着時のエジェクタヘッドの共回り防止手段とする。
【００１１】
上記の共回りを防止する手段は、種々の液体吐出用ポンプに設けることが出来るが、特にシャワー等の湯水がステムを伝ってガイド穴からポンプ本体内に浸入することを防止するため、アッパキャップの外側面に雄ねじが設けられ、エジェクタヘッドのスカート部の内周面に雌ねじが設けられて、互いに螺合可能とされたポンプに好適に用いられる。
【００１２】
また、アッパキャップの第一ラチェット歯の最大外径を、エジェクタヘッドの第二ラチェット歯の最小内径と同一径または小径とすることで、通常の状態ではラチェット歯同士は互いに噛合せず、容器装着時の装着用グリッパがエジェクタヘッドの外面を把持した時のみにラチェット歯が噛合可能とすると、雄ねじと雌ねじの螺合を解除してポンプを使用状態にする際等に、ラチェット歯が干渉せずに、螺合が解除されるので好ましい。
【００１３】
さらに、ラチェット歯の噛合面をエジェクタヘッドの直径方向の対向する２箇所に設けると、ラチェット歯の噛合が少なくとも１箇所で行われるため、共回りが確実に防止される。特に、容器装着時の把持用グリッパがスカート部に接する位置の内面２箇所に噛合面を設けると、確実にラチェット歯同士の噛合が行われる。
【００１４】
【実施例】
以下、実施例について、図面を基に説明する。
【００１５】
図１、図２及び図３は本発明の実施例のポンプを示している。
【００１６】
このポンプ１は、据置型のシャンプー容器等に用いられるもので、容器（図示しない）の開口部から容器内に挿入され内部に液体を貯留するポンプ室を備えたシリンダ状のポンプ本体２と、ポンプ本体２の上端開口部を閉塞するアッパキャップ４と、ポンプ本体３内に往復動自在に挿入されポンプ室の容積を拡張、収縮させる可動部材としてのピストン３と、アッパキャップ４に設けられたガイド穴５に往復動自在に挿入され上記ピストン３を操作するためのステム１６と、このステム１６の上端に接続されて吐出ノズル７とスカート部９とを備えたエジェクタヘッド８と、ポンプ本体２と容器内とを連通する吸入通路１７と、ポンプ本体２とエジェクタヘッド８の吐出ノズル７を連通する吐出通路１９と、吸入通路１７に設けられる吸入弁１８と、吐出通路１９に設けられる吐出弁２０と、前記ピストン３を常時ポンプ室の容積を拡張させる方向に付勢するばね部材２１と、を備えている。
【００１７】
ポンプ本体３は、その底壁に吸入弁１８が設けられ上端が開口する円筒状部材で、上端部に半径方向外方に向かって張り出すフランジ２２が設けられ、このフランジ２２が容器首部の頂面にガスケット２３を介して載置されている。また、ポンプ本体３のフランジ部１５の付け根より筒部が立設され、アッパキャップ４の内面と密接に係合されている。
【００１８】
アッパキャップ４は、天面にステム１６が挿通可能なガイド穴５が設けられ、側面にはエジェクタヘッド８のスカート部９内面に設けられた雌ねじ１０と螺合可能な雄ねじ６が設けられている。そして、通常は、ポンプの嵩張り等を防止する目的で雄ねじ６と雌ねじ１０とを螺合させた状態が保たれている。
【００１９】
コンテナキャップ１１は、内面に容器の首部と螺合可能なねじが設けられた円筒部１２と円筒部１２の上面から内方に向かって張り出すフランジ部１３とが一体に成形されている。
【００２０】
そして、ポンプ１を容器に装着する場合、最初に容器内に内容液を充填し、次いでグリッパ等のポンプ把持機構で、雄ねじ６と雌ねじ１０とが螺合した状態のエジェクタヘッド８のスカート部９側面を把持する。そして、グリッパによりポンプ本体２の下方から容器内に挿入して、フランジ２２がガスケット２３を介して容器首部の頂面に載置され、コンテナキャップ１１を回転させて円筒部１２内面に設けられたねじと容器首部のねじとを螺合させて装着する。
【００２１】
図１に示される実施例では、ポンプ１が容器に装着された状態が示されており、雄ねじ６と雌ねじ１０とによって螺合されて吐出動作がロックされたポンプ１がコンテナキャップ１１のねじ込みによって強固に容器に装着されている。
【００２２】
この時、図２及び図３に示されるとおり、アッパキャップ４の側面には、同一の回転方向（時計回転方向）に向く噛合面を有する第一ラチェット歯１４が、エジェクタヘッド８に対して対向する位置に２箇所する設けられている。この第一ラチェット歯１４は、グリッパと接触箇所に対応する２箇所に設けることが好ましい。
【００２３】
また、図２及び図４に示されるとおり、エジェクタヘッド８のスカート部９下部には、第一ラチェット歯１４の最大外径に対して同一又は大径の最小内径を有する第二ラチェット歯１５が第一ラチェット歯１４と反対方向（半時計回り方向）に噛合面を向けて設けられている。
【００２４】
そして、ポンプ１が容器に装着される際には、グリッパ等の把持機構がスカート部９の外側面よりスカート部９を押圧してポンプ１を把持するため、押圧により第二ラチェット歯１５の最小内径が縮小され、第一ラチェット歯１４と干渉するようになり、コンテナキャップ１１にかかる回転力が、フランジ部１３からアッパキャップ４に伝達されても、アッパキャップ４はコンテナキャップ１１と共回りせずに、第一ラチェット歯１４と第二ラチェット歯１５の噛合によって螺合状態が保持される。
【００２５】
なお、本実施例では、アッパキャップ４の外側面に雄ねじ６を設け、スカート部９の内周面に雌ねじ１０を設けて螺合可能としたが、第５図に示すようにアッパキャップ４のガイド穴５内面に雌ねじを設け、エジェクタヘッド８のステム１６との接続筒部外面に雄ねじを設けて螺合させるポンプにも用いることが出来る。
【００２６】
【発明の効果】
以上説明したように、本発明によれば、液体吐出用のポンプのアッパキャップの外側面に雄ねじを設け、雄ねじの下部に第一ラチェット歯が設けるとともに、エジェクタヘッドの内周面にアッパキャップの雄ねじに係合可能な雌ねじを設け、雌ねじの下部に第一ラチェット歯に対向して噛合する第二ラチェット歯を設けたため、ポンプを容器に装着する際に、コンテナキャップに過剰の回転トルクがかかっても、エジェクタヘッドが共回りせず、従ってエジェクタヘッドの相対的な回転による螺合の緩み等が防止される。
【００２７】
また、アッパキャップの外側面に雄ねじを設け、エジェクタヘッドのスカート部の内周面に雌ねじを設けると、ガイド穴とステムとの間隙が狭められて、湯水がステムを伝ってポンプ本体内に浸入することが防止される。
【図面の簡単な説明】
【図１】図１は本発明の実施の形態に係るポンプの縦断面図である。
【図２】図２は図１のポンプのＡ−Ａ線断面図である。
【図３】図３は本発明の実施の形態に係るポンプのアッパキャップの断面図である。
【図４】図４は本発明の実施の形態に係るポンプのエジェクタヘッドの断面図である。
【図５】図５は本発明の他の実施の形態に係るポンプの縦断面図である。
【図６】図６は従来例のポンプの断面図である。
【符号の説明】
１    ポンプ
２    ポンプ本体
３    ピストン
４    アッパキャップ
５    ガイド穴
６    雄ねじ
７    吐出ノズル
８    エジェクタヘッド
９    スカート部
１０  雌ねじ
１１  コンテナキャップ
１２  円筒部
１３  フランジ部
１４  第一ラチェット歯
１５  第二ラチェット歯
１６  ステム
１７  吸入通路
１８  吸入弁
１９  吐出通路
２０  吐出弁
２１  ばね部材
２２   フランジ
２３  ガスケット
【図１】
0004106734.tif 000002
【図２】
0004106734.tif 000003
【図３】
0004106734.tif 000004
【図４】
0004106734.tif 000005
【図５】
0004106734.tif 000006
【図６】
0004106734.tif 000007